(57)【要約】      （修正有）【課題】適正な必要量のティッシュペーパーとして利用でき省資源、費用削減になり、食卓上においても違和感なく場所を取らず使いやすいロール状トイレットペーパー収納容器を提供する。【解決手段】ロール状のトイレットペーパー形状に合わせたコンパクトな蓋付き容器にトイレットペーパーのボール紙芯が簡単にくりぬける芯抜き用具を取付け、用具で芯をくり抜いたトイレットペーパーを梱包紐の取り出し方法でよく行われる芯部から連続的に引き出せるようにして容器蓋中央開口部から取出し、開口部ふたの鋸刃で必要量をカットする。【選択図】図１
0003226766.tif 000002
【実用新案登録請求の範囲】
【請求項１】
収納容器蓋部のペーパー取出し開口部に鋸刃をつけ引き出したペーパーを切りやすくした点。
【請求項２】
トイレットペーパーのボール紙芯の芯くり抜き用具として、先端をアヒルのくちばし状にして容易に芯のボール紙が挟み込めるスリッドを持った用具でトイレットペーパ内面とボール紙芯隙間に挿入し、用具でボール紙芯を変形させ芯を抜き易くした用具。
【請求項３】
芯抜き用具を容器に簡単にはめ込めるよう収納し易くしてしまい忘れ防止とした点。
【考案の詳細な説明】
【技術分野】
【０００１】
本考案は、ロール形状の巻紙（以下、トイレットペーパー）を芯部から容易に必要量だけ取り出せる容器に関するものである。
【背景技術】
【０００２】
通常サイズティッシュケースやポケットティッシュケースは、ティッシュを連続的に取り出すことはできるが必要量を取り出すには多すぎたり少なすぎたりし、必ずしも適切な必要量を取り出せない。
【先行技術文献】
【非特許文献】
【０００３】
【非特許文献１】そのため、トイレットペーパーを梱包紐の取り出し方法でよく行われる芯部から連続的に取り出し、またテープカッターに用いられる鋸刃形状を利用すること必要量を容易にカットすることができる方法。
【考案の概要】
【考案が解決しようとする課題】
【０００４】
通常サイズティッシュケースやポケットティッシュは、連続的に取り出すことはできるが必要量を取り出すには多すぎたり少なすぎたりし、必ずしも適切な必要量を取り出せない。またティッシュの代わりになるトイレットペーパーは必要量だけを連続的に使用できるが、適切な必要量を容易に取り出しカットでき食卓に置ける様なコンパクトな容器がない。
【課題を解決するための手段】
【０００５】
このため、トイレットペーパーのボール紙芯を簡単にきれいに抜き、芯部より連続的に引き出したペーパーを簡単にカットできるコンパクトな容器を開発する。容器にはボール紙芯が簡単に取り外せる芯抜き用具を備え付け、容器蓋中央開口部の鋸刃付き開閉ふたで開口部から引き出したペーパーを必要量をカットできるようにする。
【考案の効果】
【０００６】
適正な必要量のティッシュペーパーとして利用できるので省資源、費用削減になり、また容器のデザインにより食卓上においても違和感なくかつ従来のティッシュケースに比べ場所を取らず使いやすい。
【図面の簡単な説明】
【０００７】
【図１】好きなだけティッシュ容器の外観図と構成部品図である。
【考案を実施するための形態】
【０００８】
容器はトイレットペーパー形状に合わせた容器蓋中央部に鋸刃付き開閉式ふたの開口部を設け、容器本体内側面に芯抜き用具がはめ込める容器とする。  
芯抜き用具はトイレットペーパー芯のボール紙厚さが通るスリッドを設けた割りばし形状とし先端部をアヒルのくちばし形状にしてボール紙芯とペーパー内面の隙間に挿入しやすくし、挿入後芯抜き用具でボール紙芯をへこませ変形させ芯を抜き取りやすくする。
【実施例】
【０００９】
食卓上のティッシュとティッシュケースの代わりに使用する。
【産業上の利用可能性】
【００１０】
コンパクトで汚れや水飛散の影響も受けずらいため、レストランや食品加工の調理場のちょっとした汚れ拭きや調理時の油ひきまた食堂のテーブルに置き顧客が汚れ拭き等に利用できる。
【符号の説明】
【００１１】
１．好きなだけティッシュ容器外観図
1a.容器蓋開口部
1b.容器蓋
1c.容器本体
1d.ロール紙内側より取り出したペーパー
２．容器蓋開口部形状詳細図
2a.容器蓋開口部ふた（開閉式）
2b.開口部蓋鋸刃
2c.容器蓋開口部
2d.開口部蓋鋸刃受け穴
３。容器内側面芯抜き用具取付図
3a.芯抜き用具
3ｂ.芯抜き用具ハメコミクランプ
４．芯抜き用具
4a.芯ボール紙通しスリッド
５．ロール状トイレットペーパーと変形したボール紙芯
５a.ロール状トイレットペーパー
５b.芯抜き易くした変形ボール紙芯
5c.芯抜き用具でへこませた部分
【図１】
0003226766.tif 000003
【手続補正書】
【提出日】令和1年12月10日(2019.12.10)
【手続補正１】
【補正対象書類名】実用新案登録請求の範囲
【補正対象項目名】全文
【補正方法】変更
【補正の内容】
【実用新案登録請求の範囲】
【請求項１】
芯部から引き出せる様にしたロール状トイレットペーパー収納容器の引き出し開口部に鋸刃をつけ連続的に引き出したペーパーを切りやすくした形状開口部を有するロール状トイレットペーパー収納容器。
【請求項２】
ボール紙芯などがあるロール状トイレットペーパーから容易に芯を抜き易くするため、先端がアヒルのくちばし形状と割りばし形状のスリッドを持った用具を芯のボール紙に挟みスリッドに沿って挿入し芯を変形させ抜き易くした機能を持つ芯くり抜き用具。
【請求項３】
請求項2の芯抜き用具を請求項１の収納容器に簡単にはめ込み収納し易くすることで終い忘れ防止の機能を持つロール状トイレットペーパー収納容器。
【手続補正書】
【提出日】令和2年2月4日(2020.2.4)
【手続補正１】
【補正対象書類名】実用新案登録請求の範囲
【補正対象項目名】全文
【補正方法】変更
【補正の内容】
【実用新案登録請求の範囲】
【請求項１】
芯部から引き出せる様にしたロール状トイレットペーパー収納容器の引き出し開口部に鋸刃をつけ連続的に引き出したペーパーを切りやすくした形状開口部を有するロール状トイレットペーパー収納容器。
【請求項２】
ボール紙芯のあるロール状トイレットペーパーを芯部から引き出せる様にするためボール紙芯くり抜き用具としてスリッドのある割りばし形状をした棒状用具を備え芯のボール紙部をはさみスリッド沿って長手方向に挿入し棒状用具でボール紙芯を潰し変形させ抜き易くした芯くり抜き用具を備えた請求項1項記載のロール状トイレットペーパー収納容器。
【請求項３】
請求項2の芯くり抜き用具を請求項１の収納容器に簡単にはめ込み収納し易くすることで終い忘れ防止の機能を持つロール状トイレットペーパー収納容器。
【手続補正書】
【提出日】令和2年4月3日(2020.4.3)
【手続補正１】
【補正対象書類名】実用新案登録請求の範囲
【補正対象項目名】全文
【補正方法】変更
【補正の内容】
【実用新案登録請求の範囲】
【請求項１】
芯部から引き出せる様にしたロール状トイレットペーパー収納容器の引き出し開口部に鋸刃をつけ連続的に引き出したペーパーを切りやすくした形状開口部を有するロール状トイレットペーパー収納容器。
【請求項２】
ボール紙芯のあるロール状トイレットペーパーを芯部から引き出せる様にするためボール紙芯くり抜き用具としてスリッドのある割りばし形状をした棒状用具を備え芯のボール紙部をはさみスリッド沿って長手方向に挿入し棒状用具でボール紙芯を潰し変形させ抜き易くした芯くり抜き用具を備えた請求項1項記載のロール状トイレットペーパー収納容器。
【請求項３】
請求項2記載の芯くり抜き用具を請求項１記載の収納容器に設けた芯くり抜き用具ハメコミクランプに簡単にはめ込み収納し易くすることで、終い忘れ防止の機能を持つ請求項2項記載のロール状トイレットペーパー収納容器。